(57)【要約】【課題】簡易な構造でありながら、調整リングの抜けを確実に防止することができると共に、調整リングの接触量を十分に確保すること。【解決手段】支持ピン６の外周面には、略楔状突起２１が形成してあり、この略楔状突起２１に係止するように、調整リング７の内周面には、略楔状凹部２２が形成してある。使用時（摺動時）に調整リング７が上方（ネジ部６ａの反対方向）に抜け出ようとしたとしても、支持ピン６の略楔状突起２１に対して、調整リング７の略楔状凹部２２が係止してあることから、簡易な構造でありながら、調整リング７が上方（ネジ部６ａの反対方向）に抜けることを確実に防止することができる。【選択図】  図１
2004264784.tif 000002
【特許請求の範囲】
【請求項１】
支持ピンと、当該支持ピンに嵌合した調整リングとからなる摺動部材において、
前記支持ピンの外周面と、前記調整リングの内周面との間に、前記調整リングの抜けを防止するための係止手段が設けてあることを特徴とする摺動部材。
【請求項２】
前記係止手段は、前記支持ピンの外周面に形成した略楔状突起と、当該略楔状突起に係止するように前記調整リングの内周面に形成した略楔状凹部と、からなることを特徴とする請求項１に記載の摺動部材。
【請求項３】
前記係止手段は、前記支持ピンの外周面に形成した略楔状突起からなることを特徴とする請求項１に記載の摺動部材。
【請求項４】
前記略楔状突起は、前記支持ピンの固定側ほど径が大きく形成してあることを特徴とする請求項２又は３に記載の摺動部材。
【請求項５】
前記略楔状突起の突出量は、略０．０２ｍｍ以下であることを特徴とする請求項２乃至４のいずれか１項に記載の摺動部材。
【請求項６】
前記略楔状突起の突出量は、略０．０１ｍｍ以下であることを特徴とする請求項２乃至４のいずれか１項に記載の摺動部材。
【請求項７】
支持ピンと、当該支持ピンに嵌合した調整リングとからなる摺動部材を介して、レンズを支持する支持部材を移動又は回転してレンズを移動するレンズ鏡筒において、
前記支持ピンの外周面と、前記調整リングの内周面との間に、前記調整リングの抜けを防止するための係止手段が設けてあることを特徴とするレンズ鏡筒。
【請求項８】
前記係止手段は、前記支持ピンの外周面に形成した略楔状突起と、当該略楔状突起に係止するように前記調整リングの内周面に形成した略楔状凹部と、からなることを特徴とする請求項７に記載のレンズ鏡筒。
【請求項９】
前記係止手段は、前記支持ピンの外周面に形成した略楔状突起からなることを特徴とする請求項７に記載のレンズ鏡筒。
【請求項１０】
前記略楔状突起は、前記支持ピンの固定側ほど径が大きく形成してあることを特徴とする請求項８又は９に記載のレンズ鏡筒。
【請求項１１】
前記略楔状突起の突出量は、略０．０２ｍｍ以下であることを特徴とする請求項８乃至１０のいずれか１項に記載のレンズ鏡筒。
【請求項１２】
前記略楔状突起の突出量は、略０．０１ｍｍ以下であることを特徴とする請求項８乃至１０のいずれか１項に記載のレンズ鏡筒。
【発明の詳細な説明】
【０００１】
【発明の属する技術分野】
本発明は、摺動部材（例えば、カムフォロア）、及びカメラのレンズ鏡筒に関する。
【０００２】
【従来の技術】
一般的に、カム機構の従動側部材には、原動側部材に形成したカム（又はカム溝）に係合し、カム（又はカム溝）の運動を変換して従動側部材に伝達するためのカムフォロアが設けてある。
【０００３】
例えば、カメラ用レンズ鏡筒等においては、一般的に、カム機構を利用して、複数枚のレンズを夫々光軸方向に移動している。一例として、原動側の筒状枠に形成したカム溝に、従動側の筒状枠に固定したカムフォロアが摺動自在に係合してある。
【０００４】
これにより、原動側の筒状枠を例えば回転すると、カムフォロアは、原動側の筒状枠の回転に伴って、そのカム溝に摺動しながら、そのカム形状に沿って移動し、その結果、カムフォロアを固定した従動側の筒状枠は、カム溝のカム形状に沿って、例えば光軸方向に移動する。
【０００５】
このようなカムフォロアは、例えば従動側の筒状枠に固定する支持ピンと、この支持ピンに嵌合すると共に原動側の筒状枠のカム溝に接触して摺動する調整リングと、からなる。
【０００６】
なお、カムフォロアでは、カム溝や調整リングの公差等によるガタ付きが性能に影響を与える虞れあることから、調整リングを交換式にしている。
【０００７】
例えば特許文献１に開示したカムフォロアでは、図３に示すように、原動側の筒状枠１の内側に、従動側の筒状枠２が移動自在に設けてある。原動側の筒状枠１には、カム溝３が形成してあると共に、固定枠には、直進溝４が形成してある。従動側の筒状枠２には、カムフォロア１０５が固定してある。
【０００８】
このカムフォロア１０５は、支持ピン１０６を有し、そのネジ部１０６ａにより従動側の筒状枠２に螺合して固定してある。支持ピン１０６には、調整リング１０７が嵌合してあり、調整リング１０７は、原動側の筒状枠１のカム溝３に摺動自在に係合してある。
【０００９】
これにより、原動側の筒状枠１を例えば回転すると、カムフォロア１０５は、原動側の筒状枠１の回転に伴って、そのカム溝３に摺動しながら、そのカム形状に沿って移動し、その結果、カムフォロア１０５を固定した従動側の筒状枠２は、カム溝３のカム形状に沿って、例えば光軸方向に移動する。
【００１０】
なお、カムフォロア１０５の支持ピン１０６に対して調整のため、その外径（１０７ａ）が微少量ずつ異なる調整リング１０７を支持ピン１０６に嵌め込んで使用されている。
【００１１】
また、支持ピン１０６は、その上端部に大径部１０８が形成してあり、段差１０９を介して、小径部１１０が形成してある。この小径部１１０に調整リング１０７が嵌合してあると共に、段差１０９に、調整リング１０７の端面が当接してある。この段差１０９により、調整リング１０７が使用時（摺動時）に軸方向（ネジ部１０６ａの反対方向）に抜け出ることを防止している。
【００１２】
また、図４に示すカムフォロアでは、支持ピン２０６のネジ部２０６ａ側に、小径部２１１が形成してあり、段差２１２を介して、その上方に大径部２１３が形成してある。一方、調整リング２０７には、支持ピン２０６の小径部２１１に対応して厚肉筒部２１４が形成してあり、段差２１５を介して、大径部２１３に対応して薄肉筒部２１６が形成してある。この場合にも、段差２１２に、調整リング２０７の段差２１５が当接してあり、これにより、調整リング２０７が使用時（摺動時）に軸方向（ネジ部２０６ａの反対方向）に抜け出ることを防止している。
【００１３】
【特許文献１】
特開２０００−３４６１７４号公報
【００１４】
【発明が解決しようとする課題】
しかしながら、上記特許文献１（即ち、図３）に開示したカムフォロアでは、支持ピン１０６の大径部１０８の径方向外方には、調整リング１０７が位置しない（存在しない）ことから、カム溝３に接触する調整リング１０７の接触量が減少してしまうといったことがある。
【００１５】
また、図４に開示したカムフォロアでは、支持ピン２０６の締め付け圧力により、調整リング２０７の厚肉筒部２１４が微妙に膨らみ、移動時にタオレなどの影響が出るといったことがある。
【００１６】
本発明は、上述したような事情に鑑みてなされたものであって、簡易な構造でありながら、調整リングの抜けを確実に防止することができると共に、調整リングの接触量を十分に確保することができる、摺動部材及びレンズ鏡筒を提供するこにある。
【００１７】
【課題を解決するための手段】
上記の目的を達成するため、本発明の請求項１に係る摺動部材は、支持ピンと、当該支持ピンに嵌合した調整リングとからなる摺動部材において、
前記支持ピンの外周面と、前記調整リングの内周面との間に、前記調整リングの抜けを防止するための係止手段が設けてあることを特徴とする。
【００１８】
また、請求項２に係る摺動部材は、請求項１において、前記係止手段は、前記支持ピンの外周面に形成した略楔状突起と、当該略楔状突起に係止するように前記調整リングの内周面に形成した略楔状凹部と、からなることを特徴とする。
【００１９】
さらに、請求項３に係る摺動部材は、請求項１において、前記係止手段は、前記支持ピンの外周面に形成した略楔状突起からなることを特徴とする。
【００２０】
さらに、請求項４に係る摺動部材は、請求項２又は３において、前記略楔状突起は、前記支持ピンの固定側ほど径が大きく形成してあることを特徴とする。
【００２１】
さらに、請求項５に係る摺動部材は、請求項２乃至４のいずれか１項において、前記略楔状突起の突出量は、略０．０２ｍｍ以下であることを特徴とする。
【００２２】
さらに、請求項６に係る摺動部材は、請求項２乃至４のいずれか１項において、前記略楔状突起の突出量は、略０．０１ｍｍ以下であることを特徴とする。
【００２３】
さらに、請求項７に係るレンズ鏡筒は、支持ピンと、当該支持ピンに嵌合した調整リングとからなる摺動部材を介して、レンズを支持する支持部材を移動又は回転してレンズを移動するレンズ鏡筒において、
前記支持ピンの外周面と、前記調整リングの内周面との間に、前記調整リングの抜けを防止するための係止手段が設けてあることを特徴とする。
【００２４】
さらに、請求項８に係るレンズ鏡筒は、請求項７において、前記係止手段は、前記支持ピンの外周面に形成した略楔状突起と、当該略楔状突起に係止するように前記調整リングの内周面に形成した略楔状凹部と、からなることを特徴とする。
【００２５】
さらに、請求項９に係るレンズ鏡筒は、請求項７において、前記係止手段は、前記支持ピンの外周面に形成した略楔状突起からなることを特徴とする。
【００２６】
さらに、請求項１０に係るレンズ鏡筒は、請求項８又は９において、前記略楔状突起は、前記支持ピンの固定側ほど径が大きく形成してあることを特徴とする。
【００２７】
さらに、請求項１１に係るレンズ鏡筒は、請求項８乃至１０のいずれか１項において、前記略楔状突起の突出量は、略０．０２ｍｍ以下であることを特徴とする。
【００２８】
さらに、請求項１２に係るレンズ鏡筒は、請求項８乃至１０のいずれか１項において、前記略楔状突起の突出量は、略０．０１ｍｍ以下であることを特徴とする。
【００２９】
【発明の実施の形態】
以下、本発明の実施の形態に係る摺動部材及びレンズ鏡筒を図面を参照しつつ説明する。
【００３０】
（第１実施の形態）
図１は、本発明の第１実施の形態に係る摺動部材（カムフォロア）を備えたレンズ鏡筒の断面図である。
【００３１】
図１において、レンズ鏡筒では、原動側の筒状枠１の内側に、従動側の筒状枠２が移動自在に設けてある。原動側の筒状枠１には、カム溝３が形成してあると共に、固定枠には、直進溝４が形成してある。従動側の筒状枠２には、カムフォロア５が固定してある。
【００３２】
このカムフォロア５は、支持ピン６を有し、そのネジ部６ａにより従動側の筒状枠２に螺合して固定してある。支持ピン６には、調整リング７が嵌合してあり、調整リング７は、原動側の筒状枠１のカム溝３に摺動自在に係合してある。なお、調整リング７は、比較的硬い合成樹脂、例えば、ＰＯＭから形成してある。
【００３３】
これにより、原動側の筒状枠１を例えば回転すると、カムフォロア５は、原動側の筒状枠１の回転に伴って、そのカム溝３に摺動しながら、そのカム形状に沿って移動し、その結果、カムフォロア５を固定した従動側の筒状枠２は、カム溝３のカム形状に沿って、例えば光軸方向に移動する。
【００３４】
なお、カムフォロア５の支持ピン６に対して調整のため、その外径（７ａ）が微少量ずつ異なる調整リング７を支持ピン６に嵌め込んで使用されている。
【００３５】
本実施の形態では、支持ピン６の外周面には、略楔状突起２１が形成してあり、この略楔状突起２１に係止するように、調整リング７の内周面には、略楔状凹部２２が形成してある。
【００３６】
この略楔状突起２１は、支持ピン６の固定側（ネジ部６ａ側）ほど径が大きく形成してある。楔状突起２１の突出量は、略０．０２ｍｍ以下であって、好適には、略０．０１ｍｍ以下である。この突出量は微量であり、説明の都合上、略楔状突起２１及び略楔状凹部２２は、デフォルメして拡大してある。
【００３７】
また、略楔状突起２１及び略楔状凹部２２は、図示例では、夫々、２個設けてあるが、１個でもよく、また、３個以上であってもよく、さらに、環状に（周方向に）連続して形成してあってもよい。さらに、突起２１及び凹部２２の形状は、略楔状に限定されず、他の形状、例えば、円弧状突起、四角状突起等であってもよい。
【００３８】
支持ピン６に、調整リング７を嵌合する時には、略楔状突起２１のテーパー面側から圧入する。この略楔状突起２１の突出量は、微量であることから、容易に嵌め込むことができる。この嵌め込みが完了すると、調整リング７は、支持ピン６に対して若干回動することができる。
【００３９】
以上のように構成してあるため、本実施の形態では、使用時（摺動時）に調整リング７が上方（ネジ部６ａの反対方向）に抜け出ようとしたとしても、支持ピン６の略楔状突起２１に対して、調整リング７の略楔状凹部２２が係止することから、簡易な構造でありながら、調整リング７が上方（ネジ部６ａの反対方向）に抜けることを確実に防止することができる。
【００４０】
しかも、従来のように、支持ピン６と調整リング７に段差や大径・小径部を形成する必要がないことから、カム溝３に接触する調整リング７の接触量を十分に確保することができる。さらに、調整リング７の抜けを確実に防止できることから、負荷が減少し、耐久性を向上することもできる。
【００４１】
（第２実施の形態）
本発明の第２実施の形態に係る摺動部材（カムフォロア）を備えたレンズ鏡筒の断面図である。
【００４２】
上記第１実施の形態では、調整リング７には、略楔状突起２１に対応して、略楔状凹部２２が形成してあるのに対し、本第２実施の形態では、図２に示すように、この略楔状凹部は、廃止して、略楔状突起４１のみが形成してある。
【００４３】
また、本実施の形態においても、この略楔状突起４１は、支持ピン３６の固定側（ネジ部３６ａ側）ほど径が大きく形成してある。略楔状突起４１の突出量は、略０．０２ｍｍ以下であって、好適には、略０．０１ｍｍ以下である。この突出量は微量であり、説明の都合上、略楔状突起４１は、デフォルメして拡大してある。
【００４４】
このように構成してあるため、支持ピン３６に調整リング３７を嵌合した時、略楔状突起４１に対応する調整リング３７の外周面には、微量の膨らみが発生してしまう。但し、この膨らみが発生する付近は、原動側の筒状枠１のカム溝３の端縁であり、一般にこの付近には面取り加工が施してあり、上述のように、突出量自体は微量であることから、略楔状突起４１に対応した膨らみも、面取りにより、実質的に吸収することができ、悪影響を与えることもない。
【００４５】
以上のように構成してあるため、本実施の形態においても、使用時（摺動時）に調整リング３７が上方（ネジ部３６ａの反対方向）に抜け出ようとしたとしても、支持ピン３６の略楔状突起４１に対して、調整リング３７の内周面が係止することから、簡易な構造でありながら、調整リング３７が上方（ネジ部３６ａの反対方向）に抜けることを確実に防止することができる。
【００４６】
しかも、従来のように、支持ピン３６と調整リング３７に段差や大径・小径部を形成する必要がないことから、カム溝３に接触する調整リング３７の接触量を十分に確保することができる。さらに、調整リング３７の抜けを確実に防止できることから、負荷が減少し、耐久性を向上することもできる。
【００４７】
また、本第２実施の形態では、上記第１実施の形態に比べて、調整リング３７が若干抜け易いといったことがあるが、支持ピン３６と調整リング３７は、圧入嵌合してあると共に、負荷が若干小さい場合には、十分に対処することができる。さらに、上記第１実施の形態に比べて、調整リング７の加工コストを下げることが出来るメリットがある。
【００４８】
なお、本発明は、上述した実施の形態の構造に限定されず、各部の形状、構造等を、適宜変形、変更することは、自由であり、種々の変形が考えられる。上記の実施の形態では、摺動部材の一例として、カムフォロアを例示したが、本発明に係る摺動部材は、勿論、カムフォロアに限定されるものではない。
【００４９】
【発明の効果】
以上説明したように、本発明によれば、支持ピンの外周面と、調整リングの内周面との間に、調整リングの抜けを防止するための係止手段が設けてあり、この係止手段は、例えば、支持ピンの外周面に形成した略楔状突起と、略楔状突起に係止するように調整リングの内周面に形成した略楔状凹部とからなる。従って、簡易な構造でありながら、調整リングの抜けを確実に防止することができる。しかも、従来のように、支持ピンと調整リングに段差や大径・小径部を形成する必要がないことから、調整リングの接触量を十分に確保することができる。さらに、調整リングの抜けを確実に防止できることから、負荷が減少し、耐久性を向上することもできる。
【図面の簡単な説明】
【図１】本発明の第１実施の形態に係る摺動部材（カムフォロア）を備えたレンズ鏡筒の断面図である。
【図２】本発明の第２実施の形態に係る摺動部材（カムフォロア）を備えたレンズ鏡筒の断面図である。
【図３】従来例に係る摺動部材（カムフォロア）を備えたレンズ鏡筒の断面図である。
【図４】従来例の変形例に係る摺動部材（カムフォロア）を備えたレンズ鏡筒の断面図である。
【符号の説明】
１  原動側の筒状枠
２  従動側の筒状枠
３  カム溝
４  直進溝
５  カムフォロア（摺動部材）
６  支持ピン
６ａ  ネジ部
７  調整リング
７ａ  外径
２１  略楔状突起（係止手段）
２２  略楔状凹部（係止手段）
３５  カムフォロア（摺動部材）
３６  支持ピン
３６ａ  ネジ部
３７  調整リング
４１  略楔状突起（係止手段）
１０５  カムフォロア（摺動部材）
１０６  支持ピン
１０６ａ  ネジ部
１０７  調整リング
１０７ａ  外径
１０８  大径部
１０９  段差
１１０  小径部
２０５  カムフォロア（摺動部材）
２０６  支持ピン
２０６ａ  ネジ部
２０７  調整リング
２１１  小径部
２１２  段差
２１３  大径部
２１４  厚肉筒部
２１５  段差
２１６  薄肉筒部
【図１】
2004264784.tif 000003
【図２】
2004264784.tif 000004
【図３】
2004264784.tif 000005
【図４】
2004264784.tif 000006